(57)【特許請求の範囲】
【請求項１】
回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを比較することにより、判定対象の回転体における翼が損傷しているかどうかを判定する損傷判定部と、
回転体の回転速度を検出する速度検出部と、を備え、
回転体の各回転速度について、翼検出部による翼の検出と、時間計測部による経過時間の計測とに基づいて、翼検出時点データ生成部は、翼検出時点データを生成し、
回転体が一回転するのに要する時間を基準回転周期とし、翼が、翼検出静止位置に来た時点から、再び同じ翼検出静止位置に来るまでの時間を翼通過周期とし、
判定用の振動特性データと基準の振動特性データとの各々は、速度検出部が検出した回転速度と、基準回転周期に対する翼通過周期の変動量ΔＴＯＡとの関係である、翼損傷判定用装置。
【請求項２】
回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを比較することにより、判定対象の回転体における翼が損傷しているかどうかを判定する損傷判定部と、
回転体の回転速度を計測する速度検出部を備え、
回転体の各回転速度について、翼検出部による翼の検出と、時間計測部による経過時間の計測とに基づいて、翼検出時点データ生成部は、翼検出時点データを生成し、
判定用の振動特性データと基準の振動特性データとの各々は、速度検出部が検出した各回転速度における翼振動の周波数と振幅である、翼損傷判定用装置。
【請求項３】
回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを視覚的に比較可能な形態で提示するデータ提示部と、
回転体の回転速度を検出する速度検出部と、を備え、
回転体の各回転速度について、翼検出部による翼の検出と、時間計測部による経過時間の計測とに基づいて、翼検出時点データ生成部は、翼検出時点データを生成し、
回転体が一回転するのに要する時間を基準回転周期とし、翼が、翼検出静止位置に来た時点から、再び同じ翼検出静止位置に来るまでの時間を翼通過周期とし、
判定用の振動特性データと基準の振動特性データとの各々は、速度検出部が検出した回転速度と、基準回転周期に対する翼通過周期の変動量ΔＴＯＡとの関係である、ことを特徴とする翼損傷判定用装置。
【請求項４】
回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを視覚的に比較可能な形態で提示するデータ提示部と、
回転体の回転速度を計測する速度検出部を備え、
回転体の各回転速度について、翼検出部による翼の検出と、時間計測部による経過時間の計測とに基づいて、翼検出時点データ生成部は、翼検出時点データを生成し、
判定用の振動特性データと基準の振動特性データとの各々は、速度検出部が検出した各回転速度における翼振動の周波数と振幅である、翼損傷判定用装置。
【請求項５】
判定基準となる翼は、損傷が生じていない正常な翼であるか、または、特定箇所で損傷している翼である、請求項１〜４のいずれか一項に記載の翼損傷判定用装置。
【請求項６】
判定基準となる翼は、損傷が生じていない正常な翼であり、
損傷判定部は、判定用の振動特性データと基準の振動特性データとの相違度が、第１基準以上であるかを判断し、この判断結果が肯定である場合には、翼が損傷していると判定する、請求項１又は２に記載の翼損傷判定用装置。
【請求項７】
判定基準となる翼は、特定箇所で損傷している翼であり、
損傷判定部は、判定用の振動特性データと基準の振動特性データとの相違度が第２基準以下であるかを判断し、この判断結果が肯定である場合には、翼が特定箇所で損傷していると判定する、請求項１又は２に記載の翼損傷判定用装置。
【請求項８】
翼検出時点データ生成部は、回転体に配置された全ての翼の各々について、翼検出時点データを生成し、特性データ生成部は、前記全ての翼の各々について、判定用の振動特性データを生成する、ことを特徴とする請求項１〜７のいずれか一項に記載の翼損傷判定用装置。
【請求項９】
回転駆動される回転体と、回転体の中心軸まわりの周方向に間隔をおいて回転体に配置された複数の翼と、を備える回転機械における翼の損傷を非接触で判定するための翼損傷判定方法であって、
（Ａ）判定対象の回転体が回転している回転状態で、この回転により翼が、前記周方向において予め定めた翼検出静止位置を繰り返し通過する場合に、翼検出部により、翼検出静止位置に来た翼を繰り返し非接触で検出し、
（Ｂ）前記（Ａ）において、翼検出部が繰り返し翼を検出する期間において、時間計測部により、経過時間を計測し、
（Ｃ）翼検出部が繰り返し行った翼の検出と、時間計測部により計測された経過時間とに基づいて、翼検出部が翼を繰り返し検出した各時点を特定した翼検出時点データを、翼検出時点データ生成部により生成し、
（Ｄ）翼検出時点データに基づいて、判定用の振動特性データを特性データ生成部により生成し、
（Ｅ）判定基準となる翼について予め求めた基準の振動特性データと、前記（Ｄ）で生成した判定用の振動特性データとを比較することにより、判定対象の回転体における翼が損傷しているかどうかを判定し、
判定対象の回転体の回転速度を変えて、前記（Ａ）〜（Ｃ）を繰り返し行うことにより、前記（Ｃ）において当該回転体の各回転速度について翼検出時点データを生成し、
回転体が一回転するのに要する時間を基準回転周期とし、翼が、翼検出静止位置に来た時点から、再び同じ翼検出静止位置に来るまでの時間を翼通過周期とし、
判定用の振動特性データと基準の振動特性データとの各々は、前記回転速度と、基準回転周期に対する翼通過周期の変動量ΔＴＯＡとの関係である、翼損傷判定方法。
【請求項１０】
回転駆動される回転体と、回転体の中心軸まわりの周方向に間隔をおいて回転体に配置された複数の翼と、を備える回転機械における翼の損傷を非接触で判定するための翼損傷判定方法であって、
（Ａ）判定対象の回転体が回転している回転状態で、この回転により翼が、前記周方向において予め定めた翼検出静止位置を繰り返し通過する場合に、翼検出部により、翼検出静止位置に来た翼を繰り返し非接触で検出し、
（Ｂ）前記（Ａ）において、翼検出部が繰り返し翼を検出する期間において、時間計測部により、経過時間を計測し、
（Ｃ）翼検出部が繰り返し行った翼の検出と、時間計測部により計測された経過時間とに基づいて、翼検出部が翼を繰り返し検出した各時点を特定した翼検出時点データを、翼検出時点データ生成部により生成し、
（Ｄ）翼検出時点データに基づいて、判定用の振動特性データを特性データ生成部により生成し、
（Ｅ）判定基準となる翼について予め求めた基準の振動特性データと、前記（Ｄ）で生成した判定用の振動特性データとを比較することにより、判定対象の回転体における翼が損傷しているかどうかを判定し、
判定対象の回転体の回転速度を変えて、前記（Ａ）〜（Ｃ）を繰り返し行うことにより、前記（Ｃ）において当該回転体の各回転速度について翼検出時点データを生成し、
判定用の振動特性データと基準の振動特性データとの各々は、各前記回転速度における翼振動の周波数と振幅である、翼損傷判定方法。
【発明の詳細な説明】
【技術分野】
【０００１】
本発明は、回転機械における翼の損傷を非接触で検出する翼損傷判定用装置と翼損傷判定方法に関する。
【背景技術】
【０００２】
本願において、回転機械は、車両用過給機、舶用過給機、航空機用ジェットエンジン、ガスタービン、産業用圧縮機などである。このような回転機械は、回転駆動される回転体と、回転体の中心軸まわりの周方向に間隔をおいて回転体に配置された複数の翼（例えば、タービン翼またはコンプレッサ翼）とを備える。
【０００３】
回転機械の回転体に設けられた翼の損傷を検査する方法として、例えば、次の（１）（２）が考えられる。
（１）計測対象の翼に歪みゲージを取り付ける。回転体の回転中に歪みゲージから出力された値に基づいて、翼の振動特性を求める。求めた振動特性に基づいて、翼が損傷しているかどうかを判断する。
（２）静止させた回転体の翼に超音波発振器と超音波受信器を取り付ける。回転体が静止した状態で、超音波発振器から翼に超音波を伝播させ、この超音波の反射波を超音波受信器で受ける。受けた反射波に基づいて、翼に損傷箇所があるかどうかを判断する。
【０００４】
なお、下記の特許文献１には、後述する本発明の実施形態に関連する技術（翼振動の各周波数における振幅と位相を求める方法）が記載されている。
【先行技術文献】
【特許文献】
【０００５】
【特許文献１】特開２００２−９８５８４号公報
【発明の概要】
【発明が解決しようとする課題】
【０００６】
しかし、上記（１）の検査方法では、損傷の検査対象となる全ての翼に、歪みゲージを取り付ける必要がある。
上記（２）の検査方法では、損傷の検査対象となる全ての翼に、超音波発振器と超音波受信器を取り付ける必要がある。
また、上記（１）（２）の検査方法では、センサ（歪みゲージや超音波発振器および超音波受信器）に対する配線のため、センサを翼に取り付けたまま、回転体を回転させるのは困難であるため、回転体を回転させた状態で翼の損傷検査に用いるデータ（センサによる計測データ）を取得するのが困難である。
さらに、翼にセンサを取り付けると、翼の振動特性が変化してしまう可能性がある。
【０００７】
そこで、本発明の目的は、損傷の検査対象となる翼にセンサ（例えば歪みゲージ）を取り付けることなく、回転体を回転させた状態で、翼損傷の判定に用いるデータを取得して翼の損傷有無を判定できるようにすることにある。
【課題を解決するための手段】
【０００８】
上述の目的を達成するため、本発明によると、回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを比較することにより、判定対象の回転体における翼が損傷しているかどうかを判定する損傷判定部と、を備える、ことを特徴とする翼損傷判定用装置が提供される。
【０００９】
また、本発明によると、回転駆動される回転体と、回転体の中心軸まわりの周方向に間隔をおいて回転体に配置された複数の翼と、を備える回転機械における翼の損傷を非接触で判定するための翼損傷判定用装置であって、
判定対象の回転体が回転している回転状態で、この回転により翼が、前記周方向において予め定めた翼検出静止位置を繰り返し通過する場合に、翼検出静止位置に来た翼を繰り返し非接触で検出する翼検出部と、
翼検出部が繰り返し翼を検出する期間において、経過時間を計測する時間計測部と、
翼検出部が繰り返し行った翼の検出と、時間計測部により計測された経過時間とに基づいて、翼検出部が翼を繰り返し検出した各時点を特定した翼検出時点データを生成する翼検出時点データ生成部と、
翼検出時点データに基づいて、判定対象となる翼について判定用の振動特性データを生成する特性データ生成部と、
判定基準となる翼について予め求めた基準の振動特性データを記憶する記憶部と、
判定用の振動特性データと基準の振動特性データとを視覚的に比較可能な形態で提示するデータ提示部と、を備える、ことを特徴とする翼損傷判定用装置が提供される。
【００１０】
本発明の翼損傷判定用装置は、例えば以下のように構成される。
【００１１】
判定基準となる翼は、損傷が生じていない正常な翼である。
【００１２】
これにより、判定基準となる翼について予め求めた基準の振動特性データと、判定対象の翼について求めた判定用の振動特性データとの相違度が第１基準以上である場合には、判定対象の翼が損傷していると判定できる。
【００１３】
この場合、損傷判定部が設けられるときには、損傷判定部は、判定用の振動特性データと基準の振動特性データとの相違度が、第１基準以上であるかを判断し、この判断結果が肯定である場合には、翼が損傷していると判定する。
【００１４】
判定基準となる翼は、特定箇所で損傷している翼であってもよい。
【００１５】
これにより、判定基準となる翼について予め求めた基準の振動特性データと、判定対象の翼について求めた判定用の振動特性データとの相違度が第２基準以下である場合には、判定対象の翼が、前記特定箇所で損傷していると判定できる。
【００１６】
この場合、損傷判定部が設けられるときには、損傷判定部は、判定用の振動特性データと基準の振動特性データとの相違度が第２基準以下であるかを判断し、この判断結果が肯定である場合には、翼が特定箇所で損傷していると判定する。
【００１７】
翼検出時点データ生成部は、回転体に配置された全ての翼の各々について、翼検出時点データを生成し、
特性データ生成部は、前記全ての翼の各々について、判定用の振動特性データを生成する。
【００１８】
これにより、どの翼にもセンサを取り付けることなく、全ての翼について損傷の有無を判定できる。しかも、回転体を回転させて翼検出部による翼検出と時間計測部による時間計測とを行い、得られたこれらのデータに基づいて判定用の振動特性データを生成するという処理を一回行うだけで、全ての翼について損傷の有無を判定できる。
これに対して、センサ（歪みゲージや超音波発振器および超音波受信器）を翼に取り付けて翼の損傷を検査する上述の方法では、センサを取り付けた翼についてしか、翼の損傷を検査できない。
【００１９】
回転体の回転速度を検出する速度検出部を備え、
回転体の各回転速度について、翼検出部による翼の検出と、時間計測部による経過時間の計測とに基づいて、翼検出時点データ生成部は、翼検出時点データを生成し、
回転体が一回転するのに要する時間を基準回転周期とし、翼が、翼検出静止位置に来た時点から、再び同じ翼検出静止位置に来るまでの時間を翼通過周期とし、
判定用の振動特性データと基準の振動特性データとの各々は、速度検出部が検出した回転速度と、基準回転周期に対する翼通過周期の変動量ΔＴＯＡとの関係である。
【００２０】
代わりに、回転体の回転速度を計測する速度検出部を備え、
回転体の各回転速度について、翼検出部による翼の検出と、時間計測部による経過時間の計測とに基づいて、翼検出時点データ生成部は、翼検出時点データを生成し、
判定用の振動特性データと基準の振動特性データとの各々は、速度検出部が検出した各回転速度における翼振動の周波数と振幅であってもよい。
【００２１】
また、判定用の振動特性データと基準の振動特性データとの各々は、翼振動の各周波数における振動振幅と位相の一方または両方であってもよい。
【００２２】
さらに、上述の目的を達成するため、本発明によると、回転駆動される回転体と、回転体の中心軸まわりの周方向に間隔をおいて回転体に配置された複数の翼と、を備える回転機械における翼の損傷を非接触で判定するための翼損傷判定方法であって、
（Ａ）判定対象の回転体が回転している回転状態で、この回転により翼が、前記周方向において予め定めた翼検出静止位置を繰り返し通過する場合に、翼検出部により、翼検出静止位置に来た翼を繰り返し非接触で検出し、
（Ｂ）前記（Ａ）において、翼検出部が繰り返し翼を検出する期間において、時間計測部により、経過時間を計測し、
（Ｃ）翼検出部が繰り返し行った翼の検出と、時間計測部により計測された経過時間とに基づいて、翼検出部が翼を繰り返し検出した各時点を特定した翼検出時点データを、翼検出時点データ生成部により生成し、
（Ｄ）翼検出時点データに基づいて、判定用の振動特性データを特性データ生成部により生成し、
（Ｅ）判定基準となる翼について予め求めた基準の振動特性データと、前記（Ｄ）で生成した判定用の振動特性データとを比較することにより、判定対象の回転体における翼が損傷しているかどうかを判定する、ことを特徴とする翼損傷判定方法が提供される。
【発明の効果】
【００２３】
上述した本発明では、判定対象の回転体が回転している回転状態で、翼検出部が、翼検出静止位置に来た翼を繰り返し検出し、時間計測部が、経過時間を計測し、このような翼の検出と計測時間とに基づいて、判定用の振動特性データを生成する。
その上で、損傷判定部が、判定用の振動特性データと基準の振動特性データとを比較して、翼の損傷の有無を判定する。
または、データ提示部が、判定用の振動特性データと基準の振動特性データとを視覚的に比較可能な形態で提示するので、人が、両データを見て、両データを比較して、翼の損傷の有無を判定できる。
【００２４】
このように、本発明では、回転体を回転させた状態で翼の通過を非接触で検出し、この検出に基づいて翼の損傷判定に用いる判定用の振動特性データを生成するので、翼にセンサ（例えば歪みゲージ）を取り付けることなく、回転体を回転させた状態でも翼の損傷有無を判定することが可能となる。
【図面の簡単な説明】
【００２５】
【図１】本発明の第１実施形態による翼損傷判定用装置が適用可能な回転機械の回転体を示す。
【図２】本発明の第１実施形態による翼損傷判定用装置の構成を示すブロック図である。
【図３】翼検出時点データ生成部が生成する翼検出時点データの具体例を示す。
【図４】回転体の回転速度とΔＴＯＡとの関係を示す。
【図５】回転体の各回転速度における翼振動の各周波数と振幅を示すキャンベル図である。
【図６】実験により得られた翼振動の各周波数での振幅を示す。
【図７】ＦＥＭ解析により得られた翼振動の各周波数での振幅を示す。
【図８】第１実施形態による翼損傷判定方法を示すフローチャートである。
【図９】第２実施形態による翼損傷判定用装置の構成を示すブロック図である。
【図１０】第２実施形態による翼損傷判定方法を示すフローチャートである。
【発明を実施するための形態】
【００２６】
本発明の好ましい実施形態を図面に基づいて説明する。なお、各図において共通する部分には同一の符号を付し、重複した説明を省略する。
【００２７】
［第１実施形態］
図１（Ａ）は、本発明の第１実施形態による翼損傷判定用装置が適用可能な回転機械の回転体１を示す。図１（Ｂ）は、図１（Ａ）のＢ−Ｂ線矢視図である。
【００２８】
回転機械は、複数の翼３ａ，３ｂ，３ｃ，３ｄ，３ｅ，３ｆを備える。複数の翼３ａ〜３ｆは、回転体１の中心軸Ｃまわりの周方向（以下、単に周方向という）に間隔（好ましくは等間隔）をおいて配置されている。また、複数の翼３ａ〜３ｆは、回転体１の中心軸Ｃと平行な方向（以下、単に軸方向という）においては同じ位置に配置されている。
【００２９】
回転機械は、車両用過給機、舶用過給機、航空機用ジェットエンジン、ガスタービン、産業用圧縮機などである。回転機械がジェットエンジンまたはガスタービンである場合、翼３ａ〜３ｆは、タービン翼、ファン動翼、または、コンプレッサの動翼である。回転機械が過給機である場合、翼３ａ〜３ｆは、タービン翼またはコンプレッサ翼である。回転機械が、産業用圧縮機である場合、翼３ａ〜３ｆは、コンプレッサ翼である。なお、本発明が適用可能な回転機械は、複数の翼３ａ〜３ｆが、同じ軸方向位置にて周方向に間隔をおいて配置されている回転機械であればよく、上記のものに限定されない。
【００３０】
図２は、本発明の第１実施形態による翼損傷判定用装置１０の構成を示すブロック図である。翼損傷判定用装置１０は、図１の回転機械の回転体１に設けられた翼３ａ〜３ｆの損傷（き裂や欠けなど）の有無を非接触で判定するためのものである。
【００３１】
翼損傷判定用装置１０は、翼検出部５ａ〜５ｄ、時間計測部７、翼検出時点データ生成部９、特性データ生成部１１、記憶部１３、損傷判定部１５、および、データ提示部１７を備える。
【００３２】
翼検出部５ａ〜５ｄは、第１実施形態では、図１（Ｂ）と図２に示すように、複数（図１の例では、４つ）設けられる。複数の翼検出部５ａ〜５ｄは、それぞれ、予め定めた複数の翼検出静止位置Ｐ１〜Ｐ４に対応して配置される。各翼検出静止位置は、回転する翼３ａ〜３ｆが繰り返し通過する周方向の固定位置である。各翼検出部５ａ〜５ｄは、対応する翼検出静止位置に来た翼３ａ〜３ｆを検出する。すなわち、回転体１が回転している回転状態で、回転体１と一体的に回転する翼３ａ〜３ｆが翼検出静止位置Ｐ１を繰り返し通過する場合に、各翼検出部５ａ〜５ｄは、対応する翼検出静止位置Ｐ１に来た翼３ａ〜３ｆを繰り返し検出し、その旨の翼検出信号を生成して出力する。
【００３３】
各翼検出部５ａ〜５ｄは、例えば、複数の翼３ａ〜３ｆを囲むハウジング（図示せず）に取り付けられた光学式センサである。この場合、各翼検出部５ａ〜５ｄは、対応する翼検出静止位置に、半径方向（回転体１の半径方向。以下、同様）外側から半径方向内側へ光を照射する。この光は、対応する翼検出静止位置にある回転体１の一部分（すなわち、翼３ａ〜３ｆまたは翼でない部分）に反射される。各翼検出部５ａ〜５ｄは、対応する翼検出静止位置からの反射光を受ける。この反射光の強度は、対応する翼検出静止位置に翼３ａ〜３ｆがある時には大きくなり、対応する翼検出静止位置に翼３ａ〜３ｆがない時には小さくなる。各翼検出部５ａ〜５ｄは、受けた反射光の強度に応じて、対応する翼検出静止位置を翼３ａ〜３ｆが通過する時に生じる反射光の強度変化を示す翼検出信号を生成して出力する。各翼検出部５ａ〜５ｄからの翼検出信号は、翼検出時点データ生成部９に入力される。
【００３４】
なお、本発明によると、各翼検出部５ａ〜５ｄは、対応する翼検出静止位置に来た翼３ａ〜３ｆを検出できるものであれば、渦電流センサ、静電容量センサ、マイクロ波センサ、または他のセンサであってもよい。
【００３５】
また、本発明によると、翼検出部の数は、図１（Ｂ）に示す４つに限定されず、１つであってもよいし、他の数（複数）であってもよい。
【００３６】
時間計測部７は、翼検出部５ａ〜５ｄが繰り返し翼３ａ〜３ｆを検出している期間において、基準時点からの経過時間を計測する。時間計測部７が計測した経過時間は、翼検出時点データ生成部９に入力される。
【００３７】
翼検出時点データ生成部９は、翼検出部５ａ〜５ｄが繰り返し行った翼３ａ〜３ｆの検出と、時間計測部７により計測された経過時間とに基づいて、翼検出部５ａ〜５ｄが翼３ａ〜３ｆを検出した各時点を特定した翼検出時点データを生成する。第１実施形態では、翼検出時点データ生成部９は、各翼３ａ〜３ｆが、各翼検出静止位置を通過する時点を特定する。
【００３８】
特性データ生成部１１は、翼検出時点データに基づいて、判定対象となる翼について判定用の振動特性データを生成する。振動特性データの具体例については、後述する。
【００３９】
記憶部１３は、判定基準となる翼について予め求めた基準の振動特性データを記憶している。第１実施形態では、判定基準となる翼は、損傷が生じていない正常な翼である。
基準の振動特性データは、翼損傷判定用装置１０により翼の損傷の有無を判定する対象となる回転機械と同じ機種の回転機械に関するものであってよい。ここで、機種が同じとは、形状や寸法や材質を含む構造が同じであることを意味する。
代わりに、基準の振動特性データは、翼損傷判定用装置１０により翼の損傷の有無を判定する対象となる回転機械に関するデータであるが、翼の損傷が無い初期時点（例えば、この回転機械が製造された時点）に取得されたデータである。
基準の振動特性データは、上述した判定用の振動特性データと同じ方法で予め求められる。
【００４０】
損傷判定部１５は、判定用の振動特性データと基準の振動特性データとを比較することにより、判定対象の回転体１における翼が損傷しているかどうかを判定する。翼に損傷が生じると、この翼の振動特性データが変化するので、判定用の振動特性データと、損傷が生じていない翼について予め求めた基準の振動特性データとの差に基づいて、翼の損傷の有無を判定できる。第１実施形態では、損傷判定部１５は、判定用の振動特性データと基準の振動特性データとの相違度が第１基準以上であるかを判断し、この判断結果が肯定である場合には、判定対象の翼が損傷していると判定する。
【００４１】
データ提示部１７は、損傷判定部１５が、翼に損傷があると判定した場合、この損傷が存在する翼がいずれの翼であるかを示す損傷データを提示する。ここで、提示とは、損傷データを人が認識できるように、損傷データをディスプレイ装置の画面に表示または用紙に印刷することを意味する。
【００４２】
以下、翼損傷判定用装置１０について、より詳しく説明する。
【００４３】
翼検出時点データの具体例を説明する。
翼検出時点データ生成部９は、翼検出部５ａ〜５ｄ毎に、上述した翼検出時点データを生成する。説明の便宜上、以下において、１つの特定の翼検出部からの翼検出信号に基づく翼検出時点データについて説明する。ただし、他の翼検出部からの翼検出信号に基づく翼検出時点データについても以下と同様である。
【００４４】
図３は、翼検出時点データ生成部９が生成する翼検出時点データの具体例を示す。図３は、１つの特定の翼検出部（ここでは、翼検出部５ａとする）により出力された翼検出信号と、時間計測部７により計測された経過時間との関係を示す。図３において、横軸は、経過時間を示し、縦軸は、翼検出部５ａが出力した翼検出信号（電気信号）の強度を示す。
【００４５】
図３の例では、翼検出部５ａにより出力された翼検出信号は、電気信号（電圧値または電流値）のパルスである。図３において、各パルスには、図１（Ｂ）における対応する翼の符号を付している。すなわち、図３において、各パルスは、このパルスに付された符号と同じ符号の翼が翼検出静止位置Ｐ１に来たことにより生成されたものである。図３の翼検出時点データにおいて、翼検出時点データ生成部９は、パルスが生成された時点（例えば、パルスの信号レベルが設定レベルを超えた時点）が、翼が翼検出静止位置Ｐ１を通過する時点として特定される。
【００４６】
次に、翼損傷判定用装置１０にさらに設けられる位置基準検出部１８と速度検出部１９について説明する。
【００４７】
位置基準検出部１８は、回転体１の外周面に設けられた位置基準２１（例えば、キー溝）を検出する。位置基準検出部１８は、予め定めた基準検出静止位置Ｐｓに対応して配置される。位置基準２１は、回転体１の回転により、基準検出静止位置Ｐｓを繰り返し通過する。位置基準検出部１８は、基準検出静止位置Ｐｓに来た位置基準２１を検出する。この検出により、位置基準検出部１８は、基準検出信号を出力する。
【００４８】
この基準検出信号は、次のように、翼検出信号がどの翼３ａ〜３ｆを示しているかの識別に利用できる。
翼検出時点データ生成部９は、各翼検出部５ａ〜５ｄからの翼検出信号がどの翼３ａ〜３ｆの検出を示しているかを、例えば、この翼検出信号が、位置基準検出部１８からの基準検出信号の出力時点から同じ翼検出部が何番目に出力した翼検出信号であるかにより判断する。この判断は、予め求められた各翼５ａ〜５ｄと位置基準２１との位置関係に基づいて行われる。
【００４９】
速度検出部１９は、位置基準検出部１８から繰り返し出力される基準検出信号に基づいて、回転体１の回転速度を検出する。例えば、速度検出部１９は、単位時間（例えば１秒間）に、位置基準検出部１８から基準信号が出力される回数を検出し、この回数に基づいて回転体１の回転速度を求める。ただし、他の手段により、回転体１の回転速度を検出する速度検出部１９が構成されてもよい。以下において、回転体１の回転速度を、単に回転速度ともいう。
【００５０】
次に、判定用の振動特性データと基準の振動特性データの具体例を説明する。以下、判定用の振動特性データと基準の振動特性データを、まとめて単に振動特性データともいう。
【００５１】
（回転速度とΔＴＯＡとの関係の場合）
振動特性データは、一例では、速度検出部１９により検出された回転体１の回転速度と、以下のように定義されるΔＴＯＡ（Ｔｉｍｅ  ｏｆ  Ａｒｒｉｖａｌ）との関係（以下、ΔＴＯＡデータともいう）である。
【００５２】
ΔＴＯＡは、回転体１の基準回転周期ＴＲに対する翼通過周期ＴＯＡ（図３を参照）の変動量（ＴＯＡ−ＴＲ）である。基準回転周期ＴＲは、回転体１が一回転するのに要する時間である。翼通過周期ＴＯＡは、１つの特定の翼が、特定の周方向位置（例えば、１つの翼検出静止位置）に来た時点から、この翼が、再び同じ周方向位置に来るまでの時間である。
【００５３】
特性データ生成部１１は、翼検出時点データに基づいて、各翼について、振動特性データとしてΔＴＯＡデータを求める。
【００５４】
説明の便宜上、以下において、特性データ生成部１１が、１つの特定の翼に関するΔＴＯＡデータを生成する場合について説明する。
【００５５】
ΔＴＯＡは、翼検出時点データに基づいて特性データ生成部１１により求められる。
【００５６】
一方、基準回転周期ＴＲは、位置基準検出部１８から繰り返し出力される基準信号に基づいて特性データ生成部１１により求められる。例えば、特性データ生成部１１は、位置基準検出部１８が基準信号を出力した時点から、位置基準検出部１８が基準信号を再び出力した次の時点までの時間を基準回転周期ＴＲとして特定する。
【００５７】
ΔＴＯＡは、回転体１の各回転速度毎に生成される。すなわち、回転体１を回転させる速度を、回転体１を回転駆動する駆動装置により変化させる。これにより、回転体１が各速度で回転している時に、１つの特定の翼検出部が翼検出信号を繰り返し出力し、時間計測部７が経過時間を計測し、位置基準検出部１８が基準信号を繰り返し出力する。回転体１の各回転速度毎に、１つの特定の翼検出部が繰り返し出力した翼検出信号と、時間計測部７が計測した時間と、位置基準検出部１８が繰り返し出力した基準信号とに基づいて、翼検出時点データ生成部９は、１つの特定の翼に関する翼検出時点データを生成する。特性データ生成部１１は、回転体１の各回転速度毎に生成された翼検出時点データと位置基準検出部１８が繰り返し出力した基準信号とに基づいて、回転体の各回転速度毎に、１つの特定の翼に関するΔＴＯＡを生成する。すなわち、特性データ生成部１１は、回転速度とΔＴＯＡとの関係（図４のΔＴＯＡデータ）を生成する。
【００５８】
ΔＴＯＡデータは、他の方法で求められてもよい。例えば、次のように、１つ特定の翼に関するΔＴＯＡデータは、複数（図１（Ｂ）では４つ）の翼検出部からの翼検出信号に基づいて生成されてもよい。回転体１を回転させる速度を、回転体１を回転駆動する駆動装置により変化させる。これにより、回転体１が各速度で回転している時に、複数の翼検出部が翼検出信号を繰り返し出力し、時間計測部７が経過時間を計測し、位置基準検出部１８が基準信号を繰り返し出力する。回転体１の各回転速度毎に、複数の翼検出部が繰り返し出力した翼検出信号と、時間計測部７が計測した時間と、位置基準検出部１８が繰り返し出力した基準信号とに基づいて、翼検出時点データ生成部９は、翼検出部毎に、１つの特定の翼に関する翼検出時点データを生成する。特性データ生成部１１は、回転体の各回転速度毎に、翼検出部毎に生成された翼検出時点データや、複数の翼検出静止位置間の既知の位置関係などに基づいて、１つの特定の翼の振動の周波数（例えば、振幅が最大となる周波数）と、この周波数での振動の振幅および位相とを適宜の公知の方法で求め、求めた振動の周波数、振幅、および位相と、速度検出部１９が検出した回転体１の回転速度や、翼の構造（例えば中心軸Ｃから翼の半径方向先端までの距離）や、上述の基準回転周期ＴＲなどに基づいて、１つの特定の翼に関してΔＴＯＡデータを生成する。
【００５９】
図４は、１つの特定の翼のΔＴＯＡと回転体の回転速度との関係（ΔＴＯＡデータ）を示す。図４は、実際に得られたΔＴＯＡデータである。図４（Ａ）は、翼に損傷が生じていない正常な時に得られたこの翼の基準のΔＴＯＡデータであり、図４（Ｂ）は、この翼に損傷が生じた時に得られたこの翼の判定用のΔＴＯＡデータである。
【００６０】
損傷判定部１５は、基準のΔＴＯＡデータと判定用のΔＴＯＡデータとの差に基づいて、翼３ａ〜３ｆの損傷の有無を判定する。この判定は、例えば、以下のように行われてよい。
損傷判定部１５は、基準のΔＴＯＡデータと判定用のΔＴＯＡデータとの間で、ΔＴＯＡの大きさが、第１設定値よりも大きくなっている回転速度が、第１設定量以上ずれているかどうかを判断する。この判断結果が肯定である場合には、損傷判定部１５は、基準のΔＴＯＡデータと判定用のΔＴＯＡデータとの相違度が第１基準以上であるとして、翼が損傷していると判定する。この判断結果が否定である場合には、損傷判定部１５は、翼が損傷していないと判定する。
【００６１】
図４の例では、判定用のΔＴＯＡデータにおいて、ΔＴＯＡの大きさが第１設定値以上となっている部分ＡとＢ（図４（Ａ）の破線で囲んだ部分）の回転速度は、いずれも、基準のΔＴＯＡデータにおいて、ΔＴＯＡの大きさが第１設定値以上となっている部分Ｃ、Ｄ（図４（Ｂ）の破線で囲んだ部分）の回転速度から第１設定量以上ずれている。したがって、図４の場合には、損傷判定部１５は、翼が損傷していると判定する。
【００６２】
上述では、便宜上、１つの翼に関するΔＴＯＡデータについて説明した。しかし、特性データ生成部１１は、他の各翼についても、上述と同様に、判定用のΔＴＯＡデータを生成し、損傷判定部１５は、上述と同様に、翼毎に、基準のΔＴＯＡデータと判定用のΔＴＯＡデータとの差に基づいて、この翼の損傷を検出する。
【００６３】
なお、ΔＴＯＡは、１つの翼について、翼検出静止位置の数だけ生成されてよい。この場合、好ましくは、損傷判定部１５の判定で用いられる基準のΔＴＯＡデータと判定用のΔＴＯＡデータとは、同じ翼検出部からの信号に基づいて生成されたものである。
【００６４】
（各回転速度における翼振動の周波数と振幅の場合）
振動特性データは、別の例では、速度検出部１９が検出した各回転速度における翼振動の各周波数とこの周波数での振幅である。
【００６５】
この場合、翼検出時点データ生成部９は、回転体１の各回転速度について、翼検出部５ａ〜５ｄによる翼の検出と時間計測部７による経過時間の計測とに基づいて、各翼３ａ〜３ｆの翼検出時点データを取得する。
【００６６】
このように生成された翼検出時点データに基づいて、特性データ生成部１１は、各翼３ａ〜３ｆの翼検出時点データとして、回転体１の各回転速度について各翼３ａ〜３ｆの各周波数成における翼振動の振幅を求める。ここで、各翼３ａ〜３ｆの各周波数における翼振動の振幅を求める方法は、上述の特許文献１に記載された方法、または、他の公知の方法であってよい。
【００６７】
以下において、説明の便宜上、特性データ生成部１１が、１つの特定の翼について、速度検出部１９が検出した各回転速度における翼振動の周波数と振幅を振動特性データとして求める場合について説明する。ただし、他の翼についての振動特性データも以下と同様である。
【００６８】
図５は、回転体１の各回転速度について、特性データ生成部１１が算出した翼振動の周波数と振幅を示すキャンベル図である。図５（Ａ）は、翼に損傷が生じていない正常な時に得られた基準の振動特性データを示し、図５（Ｂ）は、この翼に損傷が生じた時に得られた判定用の振動特性データを示す。図５（Ａ）（Ｂ）において、横軸は、回転体１の回転速度を示し、縦軸は、翼振動の周波数を示す。また、図５（Ａ）（Ｂ）において、各回転速度における各周波数の翼振動の振幅は、該当する座標位置に描かれた円の大きさにより表されている。図５において、縦方向の各破線で描かれた直線は、（Ａ）（Ｂ）で同じ回転速度の位置を示している。図５（Ａ）（Ｂ）において、縦軸の目盛の値は、相対的な値であるが、各目盛の値は、（Ａ）（Ｂ）に共通する。
【００６９】
図５（Ａ）において、振幅（すなわち、円の大きさ）が第２設定値以上となっている部分ＡとＢの回転速度は、図５（Ｂ）において、振幅（すなわち、円の大きさ）が同じ第２設定値以上となっている部分ＣとＤの回転速度からずれている。このようなずれから、翼が損傷していると判定できる。
【００７０】
（各周波数での振動振幅と位相の場合）
振動特性データは、さらに別の例では、翼振動の各周波数における翼振動の振幅と位相の一方または両方である、
【００７１】
この場合、回転体１が特定の回転速度で回転している時に、翼検出部５ａ〜５ｄによる翼の検出と時間計測部７による経過時間の計測が行われる。このようになされた翼検出部５ａ〜５ｄによる翼の検出と時間計測部７に基づいて、翼検出時点データ生成部９は、翼３ａ〜３ｆの翼検出時点データを取得する。
【００７２】
このように生成された翼検出時点データに基づいて、特性データ生成部１１は、各翼３ａ〜３ｆの振動特性データとして、各翼３ａ〜３ｆの翼振動の各周波数における翼３ａ〜３ｆの振動の振幅と位相の一方または両方を求める。ここで、各翼３ａ〜３ｆの各周波数における翼の振動の振幅を求める方法は、上述の特許文献１に記載された方法、または、他の公知の方法であってよい。
【００７３】
以下において、説明の便宜上、特性データ生成部１１が、１つの特定の翼について、翼振動の周波数と振幅を振動特性データとして求める場合について説明する。ただし、他の翼についての振動特性データも以下と同様である。
【００７４】
図６は、１つの翼について、特性データ生成部１１が算出した翼振動の各周波数での振幅を示す。図６に示すデータは、１つの回転速度について得られたものである。
【００７５】
図６（Ａ）（Ｂ）（Ｃ）において、横軸は、翼振動の周波数を示し、縦軸は、翼振動の振幅を示す。なお、図６（Ａ）（Ｂ）（Ｃ）のデータは、上述した翼損傷判定用装置１０により、実際に取得したものである。
【００７６】
図６（Ａ）において、実線で示すデータは、翼に損傷が生じていない正常な時に得られたものであり、破線で示すデータは、この翼に損傷（ここでは、小さなクラック）が生じた時に得られたこの翼のデータである。
【００７７】
図６（Ａ）から分かるように、小さなクラックが生じた翼について、振幅がピークとなっている部分ＣとＤ（この図の破線で囲んだ部分）の周波数は、いずれも、損傷が生じていない時の同じ翼について、ピークとなっている部分ＡとＢ（この図の破線で囲んだ部分）の周波数からずれている。
または、図６（Ａ）から分かるように、小さなクラックが生じた翼について、翼振動の振幅が最大となる周波数での振幅（部分Ｃの振幅）は、損傷が生じていない時の同じ翼について、翼振動の振幅が最大となる周波数での振幅（部分Ａの振幅）からずれている（大きくなっている）。
したがって、このような場合、損傷判定部１５は、翼が損傷していると判定する。
【００７８】
図６（Ｂ）において、破線で示すデータは、図６（Ａ）の破線で示すデータと同じであり、一点鎖線で示すデータは、破線で示すデータの場合から、上述のクラックが大きくなった時に得られた翼のデータである。
【００７９】
図６（Ｂ）から分かるように、クラックが大きくなった翼について、翼振動の振幅が最大となる周波数での振幅（部分Ｅの振幅）は、クラックが小さい時の同じ翼について、翼振動の振幅が最大となる周波数での振幅（部分Ｃの振幅）からずれている（小さくなっている）。
【００８０】
図６（Ｃ）において、一点鎖線で示すデータは、図６（Ｂ）の一点鎖線で示すデータと同じであり、二点鎖線で示すデータは、一点鎖線で示すデータの場合から、同じ翼において損傷がさらに大きくなった時（クラックの箇所が欠けた時）に得られた翼のデータである。
【００８１】
図６（Ｃ）から分かるように、欠けが生じた翼について、振幅がピークとなっている部分ＧとＨ（この図の破線で囲んだ部分）の周波数は、いずれも、大きなクラックが生じているが欠けが生じていない時の同じ翼について、振幅がピークとなっている部分ＥとＦ（この図の破線で囲んだ部分）の周波数からずれている。
【００８２】
また、図６（Ｃ）から分かるように、欠けが生じた翼について、翼振動の振幅が最大となる周波数での振幅（部分Ｈの振幅）は、大きなクラックが生じているが欠けが生じていない時の同じ翼について、翼振動の振幅が最大となる周波数での振幅（部分Ｅの振幅）からずれている（小さくなっている）。
【００８３】
なお、図６は、回転体１について実際に計測して得られたデータであるが、ＦＥＭ（有限要素法）解析によっても、図６と同様の傾向が得られることを確認した。
【００８４】
図７は、１つの翼について、ＦＥＭ解析によって求めた翼振動の各周波数成分を示す。図７に示すデータは、１つの回転速度について得られたものである。
【００８５】
図７（Ａ）（Ｂ）（Ｃ）において、横軸は、翼振動の周波数を示し、縦軸は、翼振動の振幅を示す。
【００８６】
図７（Ａ）において、実線で示すデータは、翼に損傷が生じていない正常な場合を示し、破線で示すデータは、この翼に損傷（ここでは、小さなクラック）が生じた場合を示す。
図７（Ｂ）において、破線で示すデータは、図７（Ａ）の破線で示すデータと同じであり、一点鎖線で示すデータは、破線で示すデータの場合から、上述のクラックが大きくなった場合を示す。
図７（Ｃ）において、一点鎖線で示すデータは、図７（Ｂ）の一点鎖線で示すデータと同じであり、二点鎖線で示すデータは、一点鎖線で示すデータの場合から、上述のクラックの箇所に欠けが生じた場合を示す。
【００８７】
図６（Ａ）（Ｂ）（Ｃ）と図７（Ａ）（Ｂ）（Ｃ）から分かるように、翼に損傷（クラックや欠け）が生じると、翼振動の各周波数成分（各周波数での振幅）のうち、最大の周波数成分（最大振幅）が変化することが分かる。
また、図６（Ａ）（Ｂ）（Ｃ）と図７（Ａ）（Ｂ）（Ｃ）から分かるように、翼に損傷（クラックや欠け）が生じると、損傷の大きさによって、翼振動の振幅がピークとなる翼振動の周波数が変化する。言い換えると、翼振動の振幅がピークとなる翼振動の周波数が変化していることは、翼に損傷が生じたことを示している。
【００８８】
図８は、上述の翼損傷判定用装置１０を用いた第１実施形態による翼損傷判定方法を示すフローチャートである。
【００８９】
ステップＳ１において、翼３ａ〜３ｆが損傷していない回転体１について基準の振動特性データを取得する。ステップＳ１は、ステップＳ１１〜Ｓ１４を有する。
【００９０】
ステップＳ１１で、全ての翼３ａ〜３ｆに損傷が生じていない状態の回転体１を回転駆動する。ここで、ステップＳ１１で回転駆動される回転体１は、好ましくは、製造された直後の回転機械の回転体１であるのがよい。
【００９１】
ステップＳ１２で、回転体１が特定の回転速度で回転している時に、翼検出部５ａ〜５ｄが各翼３ａ〜３ｆを繰り返し検出し、時間計測部７が経過時間を計測し、位置基準検出部１８が位置基準２１を繰り返し検出する。
【００９２】
ステップＳ１３で、ステップＳ１２において翼検出部５ａ〜５ｄが繰り返し行った翼の検出と、ステップＳ１２において時間計測部７により計測された経過時間と、ステップＳ１２において位置基準検出部１８が繰り返し行った位置基準２１の検出とに基づいて、翼検出時点データ生成部９は、各翼３ａ〜３ｆについて翼検出時点データを生成する。
【００９３】
第１実施形態では、回転体１の回転速度を変えて、ステップＳ１２、Ｓ１３を繰り返し行うことにより、回転体１の各回転速度について翼検出時点データを生成する。この場合、回転体１の各回転速度は、速度検出部１９により検出される。
【００９４】
ステップＳ１４で、ステップＳ１３において生成された翼検出時点データ（第１実施形態では、回転体１の各回転速度での翼検出時点データ）に基づいて、特性データ生成部１１は、基準の振動特性データを生成する。生成された基準の振動特性データは記憶部１３に記憶される。
【００９５】
ステップＳ２では、回転機械が実際に使用される。この使用が設定期間（例えば、設定月数、設定年数など）だけ行われたら、ステップＳ３へ進む。好ましくは、ステップＳ２で使用される回転機械は、ステップＳ１の対象となった回転機械である。
【００９６】
ステップＳ３では、ステップＳ２で使用された回転機械の回転体１について判定用の振動特性データを取得する。ステップＳ３は、ステップＳ３１〜Ｓ３４を有する。
【００９７】
ステップＳ３１で、ステップＳ２で使用された判定対象の回転機械の回転体１を回転駆動する。
【００９８】
ステップＳ３２で、回転体１が特定の回転速度で回転している時に、翼検出部５ａ〜５ｄが各翼３ａ〜３ｆを繰り返し検出し、時間計測部７が経過時間を計測し、位置基準検出部１８が位置基準２１を繰り返し検出する。
【００９９】
ステップＳ３３で、ステップＳ３２において翼検出部５ａ〜５ｄが繰り返し行った翼の検出と、ステップＳ３２において時間計測部７により計測された経過時間と、ステップＳ３２において翼検出部５ａ〜５ｄが繰り返し行った位置基準２１の検出とに基づいて、翼検出時点データ生成部９は、各翼３ａ〜３ｆについて翼検出時点データを生成する。
【０１００】
第１実施形態では、回転体１の回転速度を変えて、ステップＳ３２、Ｓ３３を繰り返し行うことにより、回転体１の各回転速度について翼検出時点データを生成する。この場合、回転体１の各回転速度は、速度検出部１９により検出される。
【０１０１】
ステップＳ３４で、ステップＳ３３において生成された翼検出時点データ（第１実施形態では、回転体１の各回転速度での翼検出時点データ）に基づいて、特性データ生成部１１は、判定用の振動特性データを生成する。生成された判定用の振動特性データは記憶部１３に記憶されてよい。
【０１０２】
ステップＳ４において、損傷判定部１５は、ステップＳ１で生成された基準の振動特性データと、ステップＳ３で生成された判定用の振動特性データとの差に基づいて、翼の損傷の有無を判定する。
【０１０３】
ステップＳ４は、ステップＳ３の対象となった回転体１の全ての翼について行われる。
【０１０４】
ステップＳ４において、損傷判定部１５により、いずれの翼についても、損傷があると判定されなかった場合には、ステップＳ２へ戻り、上述の処理を繰り返す。すなわち、戻ったステップＳ２では、ステップＳ４が行われた回転機械の各翼３ａ〜３ｆが正常であるとして、この回転機械が再び実際に使用される。この使用が上述の設定期間だけ行われたら、ステップＳ３へ進み、上述の処理を繰り返す。
【０１０５】
一方、ステップＳ４において、損傷判定部１５により、少なくともいずれかの翼に損傷があると判定された場合には、ステップＳ５へ進む。
【０１０６】
ステップＳ５において、損傷判定部１５は、翼の損傷に関する損傷データを出力する。損傷データは、回転体１において、ステップＳ４で損傷していると判断された翼が、いずれの翼であるかを示す。ここで、損傷データは、損傷が生じている翼を、位置基準２１に対して特定するものであってよい。例えば、損傷データは、損傷が生じている翼が、位置基準２１から周方向（例えば、図１（Ｂ）の時計回りの方向）に何番目に存在する翼であるかを示す。
【０１０７】
一例では、ステップＳ５で、損傷判定部１５は、損傷データをデータ提示部１７に出力することにより、データ提示部１７は、損傷データを提示する。データ提示部１７がディスプレイ装置である場合には、ディスプレイ装置１７は損傷データを表示する。データ提示部１７がプリンタである場合には、プリンタ１７は損傷データを用紙に印刷する。
【０１０８】
なお、ステップＳ５において、損傷判定部１５は、損傷データを出力する代わりに、単に、翼に損傷がある旨の信号を出力してもよい。この信号に反応して、適宜の通知装置が、翼に損傷がある旨を人に伝える。例えば、通知装置がディスプレイ装置である場合には、その画面に、翼に損傷がある旨を表示し、通知装置がプリンタである場合には、用紙に、翼に損傷がある旨を印刷する。
【０１０９】
次に、振動特性データの種類とステップＳ４の判定方法をより詳しく説明する。すなわち、判定用の振動特性データと基準の振動特性データとの相違度が第１基準以上であるかどうかの判断の具体例を説明する。
【０１１０】
（振動特性データがΔＴＯＡデータである場合）
基準の振動特性データと判定用の振動特性データとが、回転速度とΔＴＯＡとの関係（ΔＴＯＡデータ）であってもよい。この場合には、次のように、上述のステップＳ４が行われる。
【０１１１】
ステップＳ４において、損傷判定部１５は、基準のΔＴＯＡデータにおいてΔＴＯＡの大きさが第１設定値以上でピークとなっている（例えば、少なくともいずれかの）回転速度（基準回転速度という）が、判定用のΔＴＯＡデータにおいてΔＴＯＡの大きさが同じ第１設定値以上でピークとなっているいずれの回転速度（判定用回転速度という）からも、第１設定量以上ずれているかどうかを判断する。この判断結果が肯定である場合には、損傷判定部１５は、判定用のΔＴＯＡデータと基準のΔＴＯＡデータの相違度が第１基準以下であると判断して、翼が損傷していると判定し、この判断結果が否定である場合には、損傷判定部１５は、翼が損傷していないと判定する。
【０１１２】
ここで、第１設定値は、対象とする機種の回転機械の回転体について実験的に予め設定されてよい。例えば、対象とする機種の回転機械の回転体について、翼が損傷していない場合のΔＴＯＡデータ、および、翼が損傷している場合のΔＴＯＡデータを実験により求め、両ΔＴＯＡデータを比較して、第１設定値を設定することができる。
また、第１設定量は、一例では、比較対象となる上述の基準回転速度×０．００３である。この場合、基準回転速度が５００ｒｐｍであれば、第１設定量は、５００×０．００３＝１．５ｒｐｍである。したがって、判定用回転速度が、４９８．５ｒｐｍ以下、または、５０１．５ｒｐｍ以上であれば、翼が損傷していると判定される。
【０１１３】
（振動特性データが各回転速度の翼振動の周波数と振幅である場合）
基準の振動特性データと判定用の振動特性データとが、各回転速度における翼振動の各周波数とこの周波数での振幅であってもよい。この場合には、次のように、上述のステップＳ４が行われる。
【０１１４】
ステップＳ４において、損傷判定部１５は、判定用の振動特性データにおいて、振幅が第２設定値以上となる周波数が存在する（例えば、少なくともいずれかの）回転速度が、基準の振動特性データにおいて、振幅がこの第２設定値以上となる周波数が存在するいずれの回転速度（基準回転速度という）からも第２設定量以上ずれているかどうかを判断する。この判断が肯定の場合には、損傷判定部１５は、判定用の振動特性データと基準の振動特性データとの相違度が第１基準以下であると判断して、翼に損傷が生じていると判定する。一方、この判断が否定である場合には、損傷判定部１５は、翼に損傷が生じていないと判定する。
【０１１５】
ここで、第２設定値は、第１設定値の場合と同様に、対象とする機種の回転機械の回転体について実験的に予め設定されてよい。
また、第２設定量は、一例では、第１設定量の場合と同様に、比較対象となる上述の基準回転速度×０．００３である。
【０１１６】
（振動特性データが各周波数での振幅と位相である場合）
基準の振動特性データと判定用の振動特性データとが、各周波数における翼振動の振幅と位相の一方または両方であってもよい。ここで、基準の振動特性データと判定用の振動特性データとは、好ましくは、１つの回転速度について得られたものである。
【０１１７】
この場合、次の（１）〜（３）のいずれかにより、ステップＳ４が行われてよい。
【０１１８】
（１）損傷判定部１５は、判定用の振動特性データにおいて、振幅が第３設定値以上のピークとなっている（例えば、少なくともいずれかの）周波数が、基準の振動特性データにおいて、振幅がこの第３設定値以上のピークとなっているいずれの周波数（基準周波数という）からも第３設定量以上ずれているかどうかを判断する。
ここで、第３設定値は、第１設定値の場合と同様に、対象とする機種の回転機械の回転体について実験的に予め設定されてよい。
また、第３設定量は、一例では、第１設定量の場合と同様に、比較対象となる上述の基準周波数×０．００３である。
【０１１９】
（２）損傷判定部１５は、判定用の振動特性データにおいて、第４設定値以上となっている（例えば、少なくともいずれかの）振幅のピーク値（判定用ピーク値という）が、基準の振動特性データにおいて、この第４設定値以上となっているいずれの振幅のピーク値（基準ピーク値という）からも第４設定量以上ずれているかどうかを判断する。判定用ピーク値は、例えば、最大の周波数成分（最大振幅）である。
ここで、第４設定値は、第１設定値の場合と同様に、対象とする機種の回転機械の回転体について実験的に予め設定されてよい。
また、第４設定量は、一例では、比較対象となる上述の基準ピーク値の１０％以上または２０％以下の範囲内の値である。例えば、第４設定量が、上述の基準ピーク値の１５％である場合には、判定用ピーク値と基準ピーク値との差の大きさが、基準ピーク値の１５％の大きさ以上であれば、翼が損傷していると判定される。
【０１２０】
（３）損傷判定部１５は、判定用の振動特性データにおいて、振幅が第５設定値以上のピークとなっている（例えば、少なくともいずれかの）周波数での振動の位相が、基準の振動特性データにおいて、振幅がこの第５設定値以上のピークとなっているいずれの周波数での振動の位相からも第５設定量以上ずれているかどうかを判断する。
ここで、第５設定値と第５設定量は、第１設定値の場合と同様に、対象とする機種の回転機械の回転体について実験的に予め設定されてよい。
【０１２１】
上記（１）（２）または（３）の判断結果が肯定の場合には、損傷判定部１５は、判定用の振動特性データと基準の振動特性データとの相違度が第１基準以下であると判断して、翼に損傷が生じていると判定する。一方、この判断が否定である場合には、損傷判定部１５は、翼に損傷が生じていないと判定する。
【０１２２】
なお、上述の第１〜第５設定値と第１〜第５設定量は、上述でその数値や数値範囲の例が示されている場合であっても、その数値や数値範囲に限定されない。すなわち、第１〜第５設定値と第１〜第５設定量は、回転機械の機種や、回転機械の使用条件や、検出したい翼の損傷の大きさや位置などに応じて適切に設定されていればよい。この場合でも、好ましくは、対象とする機種の回転機械の回転体について、いずれの翼も損傷していない回転体の振動特性データと、検出したい位置で検出したい大きさの損傷がある翼を有する回転体の振動特性データとを実験により求め、両振動特性データを比較して、上述の第１〜第５設定値と第１〜第５設定量を設定する。ここで、検出したい翼の損傷の大きさと位置の組み合わせが複数ある場合には、これらの組み合わせの各々について、該当する位置で該当する大きさの損傷がある翼を有する回転体の振動特性データを実験により求め、これらの振動特性データと、翼に損傷が無い場合の振動特性データとを比較して、第１〜第５設定値と第１〜第５設定量を設定してもよい。
【０１２３】
［第２実施形態］
次に、本発明の第２実施形態による翼損傷判定用装置と翼損傷判定方法について説明する。第２実施形態において、以下で説明しない点は、上述の第１実施形態と同じである。
【０１２４】
図９は、第２実施形態による翼損傷判定用装置１０の構成を示すブロック図である。
【０１２５】
第２実施形態による翼損傷判定用装置１０は、損傷判定部１５が省略される。
【０１２６】
また、第２実施形態では、データ提示部１７は、特性データ生成部１１により生成された判定用の振動特性データと、記憶部１３に記憶されている基準の振動特性データとを視覚的に比較可能な形態で提示する。
【０１２７】
ここで、提示とは表示または印刷を意味する。データ提示部１７がディスプレイ装置である場合には、ディスプレイ装置１７は、判定用の振動特性データと基準の振動特性データとを、視覚的に互いに比較可能な形態で、その画面に表示する。データ提示部１７がプリンタである場合には、プリンタ１７は、判定用の振動特性データと基準の振動特性データとを、視覚的に互いに比較可能な形態で用紙に印刷する。
【０１２８】
このように提示された判定用の振動特性データと基準の振動特性データとを人が見て、人が、判定用の振動特性データと基準の振動特性データとの差に基づいて、翼が損傷しているかどうかを判定する。この判定は、第１実施形態で損傷判定部１５が行った判定と同じ方法で行われてよい。
【０１２９】
図１０は、第２実施形態による翼損傷判定方法を示すフローチャートである。第２実施形態による翼損傷判定方法は、第２実施形態による翼損傷判定用装置１０を用いて行われる。
【０１３０】
第２実施形態による翼損傷判定方法において、ステップＳ１〜Ｓ３は、第１実施形態の場合と同じである。第２実施形態による翼損傷判定方法では、ステップＳ３の後、上述のステップＳ４を行う代わりに、ステップＳ６を行う。
【０１３１】
ステップＳ６では、データ提示部１７により、ステップＳ１で生成された基準の振動特性データと、ステップＳ３で生成された判定用の振動特性データとを視覚的に比較可能な形態で提示する。
【０１３２】
データ提示部１７がディスプレイ装置である場合には、例えば、１つのディスプレイ装置１７が、基準の振動特性データと判定用の振動特性データの両方を、その同じ画面に表示する。データ提示部１７がプリンタである場合には、例えば、プリンタ１７が、基準の振動特性データと判定用の振動特性データの両方を１枚の用紙に印刷する。
【０１３３】
ステップＳ７では、人が、ステップＳ６で提示された基準の振動特性データと判定用の振動特性データを見て、基準の振動特性データと判定用の振動特性データとの差に基づいて、翼に損傷が生じているかどうかを判定する。
【０１３４】
ステップＳ７において、翼が損傷していないと判定された場合には、ステップＳ２へ戻り、上述の処理を繰り返す。すなわち、戻ったステップＳ２では、ステップＳ４が行われた回転機械の各翼が正常であるとして、回転機械が再び実際に使用される。この使用が上述の設定期間だけ行われたら、ステップＳ３へ進み、上述の処理を繰り返す。
【０１３５】
一方、ステップＳ７において、翼が損傷していると判定された場合には、翼損傷判定方法の処理を終了する。この場合、基準の振動特性データと判定用の振動特性データに基づいて、人が、損傷が生じている翼を特定し、この翼の修理や交換などを行う。
【０１３６】
振動特性データとその提示方法の具体例を説明する。
【０１３７】
（振動特性データがΔＴＯＡデータである場合）
基準の振動特性データと判定用の振動特性データとの各々は、回転速度とΔＴＯＡとの関係（ΔＴＯＡデータ）であってよい。
この場合、ステップＳ７で提示されるデータは、基準の振動特性データとしての、回転速度に対するΔＴＯＡのグラフ（例えば、図５（Ａ）のグラフ）と、判定用の振動特性データとしての、回転速度に対するΔＴＯＡのグラフ（例えば、図５（Ｂ）のグラフ）とを、並べたデータであってもよいし、同じ座標軸で両グラフを表わしたデータであってもよい。ここで、同じ座標軸は、回転速度を示す軸（横軸）と、ΔＴＯＡを示す軸（縦軸）である。
【０１３８】
（振動特性データが各回転速度の翼振動の周波数と振幅である場合）
基準の振動特性データと判定用の振動特性データとが、各回転速度における翼振動の各周波数とこの周波数での振幅であってもよい。
この場合、ステップＳ６で提示されるデータは、キャンベル図であってよい。すなわち、提示されるデータは、基準の振動特性データのキャンベル図と判定用の振動特性データのキャンベル図とを並べたデータであってもよい。ここで、基準の振動特性データのキャンベル図と判定用の振動特性データのキャンベル図の各々において、横軸と縦軸の一方が回転速度を示し、横軸と縦軸の他方が翼振動の周波数を示し、横軸と縦軸による２次元座標空間内の各座標において、翼振動の振幅に応じた大きさの図形（例えば円）が描かれる。
【０１３９】
（振動特性データが各周波数での振幅と位相である場合）
基準の振動特性データと判定用の振動特性データとが、１つの回転速度に関する翼振動の各周波数における振幅と位相の一方または両方であってもよい。
この場合、ステップＳ６で提示されるデータは、基準の振動特性データとしての、周波数に対する振幅と位相の一方または両方のグラフ（例えば、図６（Ａ）の実線のグラフ）と、判定用の振動特性データとしての、周波数に対する振幅と位相の一方または両方のグラフ（例えば、図６（Ａ）の破線のグラフ）とを、並べたデータであってもよいし、同じ座標軸で両グラフを表わしたデータであってもよい。ここで、同じ座標軸は、周波数を示す軸（横軸）と、振幅と位相の一方または両方を示す軸（縦軸）である。
【０１４０】
［第３実施形態］
次に、本発明の第３実施形態による翼損傷判定用装置と翼損傷判定方法について説明する。第３実施形態において、以下で説明しない点は、上述の第１実施形態と同じである。
【０１４１】
第３実施形態では、基準の翼は、特定箇所が損傷している翼である。好ましくは、翼に損傷が生じやすい特定箇所がある場合、基準の翼は、この特定箇所が損傷している翼である。
【０１４２】
第３実施形態では、上述のステップＳ１は、上述のステップＳ３の対象となる回転機械と同じ機種の回転機械の翼（基準の翼）に対して行われる。ただし、この基準の翼における上述の特定箇所は損傷している。すなわち、上述のステップＳ１は、上述のステップＳ３の対象となる回転機械とは別の回転機械の翼（基準の翼）に対して行われる。
【０１４３】
第３実施形態において、上述のステップＳ４では、損傷判定部１５は、ステップＳ１で基準の翼について生成された基準の振動特性データと、ステップＳ３で判定対象の回転体１の各翼３ａ〜３ｆについて生成された判定用の振動特性データとに基づいて、翼が、上述の特定箇所で損傷しているかどうかを判定する。このステップＳ４では、損傷判定部１５は、ステップＳ１で生成された基準の振動特性データと、ステップＳ３で生成された判定用の振動特性データとの相違度が第２基準以下であるかどうかを判断する。この判断結果が肯定である場合には、損傷判定部１５は、翼が上述の特定箇所で損傷していると判定してステップＳ５へ進む。判定対象の回転体１における全ての翼について、この判断結果が否定である場合には、損傷判定部１５は、いずれの翼３ａ〜３ｆも上述の特定箇所で損傷していないと判定し、第１実施形態と同様にステップＳ２へ戻り、図８のフローチャートに従って処理を繰り返す。
【０１４４】
ステップＳ５において、損傷判定部１５は、翼の損傷に関する損傷データを出力する。損傷データは、ステップＳ４において特定箇所で損傷していると判定された翼が、いずれの翼であるかを示す。ここで、損傷データは、この翼を、位置基準２１に対して特定するものであってよい。
【０１４５】
一例では、ステップＳ５で、損傷判定部１５は、損傷データをデータ提示部１７に出力ことにより、データ出力部１９は、損傷データを提示する。データ出力部１９がディスプレイ装置である場合には、ディスプレイ装置１７は損傷データをその画面に表示する。データ出力部がプリンタ１７である場合には、プリンタ１７は損傷データを用紙に印刷する。
【０１４６】
なお、ステップＳ５において、損傷判定部１５は、損傷データを出力する代わりに、単に、翼が特定箇所で損傷している旨の信号を出力してもよい。この信号に反応して、適宜の通知装置が、翼が特定箇所で損傷している旨を人に伝える。例えば、通知装置がディスプレイ装置である場合には、翼が特定箇所で損傷している旨を、その画面に表示し、通知装置がプリンタである場合には、翼が特定箇所で損傷している旨を用紙に印刷する。
【０１４７】
次に、振動特性データの種類とステップＳ４の判定方法をより詳しく説明する。すなわち、判定用の振動特性データと基準の振動特性データとの相違度が第２基準以下であるかどうかの判断の具体例を説明する。
【０１４８】
（振動特性データがΔＴＯＡデータである場合）
基準の振動特性データと判定用の振動特性データとが、回転速度とΔＴＯＡとの関係（ΔＴＯＡデータ）である場合には、次のように、上述のステップＳ４が行われる。
【０１４９】
ステップＳ４において、損傷判定部１５は、基準のΔＴＯＡデータにおいてΔＴＯＡの大きさが第６設定値以上でピークとなっている（例えば、少なくともいずれかの）回転速度（基準回転速度という）と、判定用のΔＴＯＡデータにおいてΔＴＯＡの大きさが同じ第６設定値以上でピークとなっているいずれかの回転速度との差が、第６設定量以下であるかどうかを判断する。この判断結果が肯定である場合には、損傷判定部１５は、判定用のΔＴＯＡデータと基準のΔＴＯＡデータとの相違度が第２基準以下であると判断して、翼が特定箇所で損傷していると判定し、この判断結果が否定である場合には、損傷判定部１５は、翼が特定箇所で損傷していないと判定する。
【０１５０】
ここで、第６設定値は、対象とする機種の回転機械の回転体について実験的に予め設定されてよい。例えば、対象とする機種の回転機械の回転体について、１つまたは複数の翼が特定箇所で損傷している回転体のΔＴＯＡデータ、および、いずれの翼も損傷していない回転体のΔＴＯＡデータを実験により求め、両ΔＴＯＡデータを比較して、第６設定値を設定することができる。
また、第６設定量は、一例では、第１設定量と同様に、比較対象となる上述の基準回転速度×０．００３である。
【０１５１】
（振動特性データが各回転速度の翼振動の周波数と振幅である場合）
基準の振動特性データと判定用の振動特性データとが、各回転速度における翼振動の各周波数とこの周波数での振幅であってもよい。この場合には、次のように、上述のステップＳ４が行われる。
【０１５２】
ステップＳ４において、損傷判定部１５は、判定用の振動特性データにおいて、振幅が第７設定値以上となる周波数が存在する（例えば、少なくともいずれかの）回転速度と、基準の振動特性データにおいて、振幅がこの第７設定値以上となる周波数が存在するいずれかの回転速度（基準回転速度という）との差が第７設定量以下であるかどうかを判断する。この判断結果が肯定である場合には、損傷判定部１５は、判定用の振動特性データと基準の振動特性データとの相違度が第２基準以下であると判断して、翼が特定箇所で損傷していると判定し、この判断結果が否定である場合には、損傷判定部１５は、翼が特定箇所で損傷していないと判定する。
【０１５３】
ここで、第７設定値は、第６設定値の場合と同様に、対象とする機種の回転機械の回転体について実験的に予め設定されてよい。
また、第７設定量は、一例では、第６設定量の場合と同様に、比較対象となる上述の基準回転速度×０．００３である。
【０１５４】
（振動特性データが各周波数での振幅と位相である場合）
基準の振動特性データと判定用の振動特性データとが、各周波数における翼振動の振幅と位相の一方または両方であってもよい。ここで、基準の振動特性データと判定用の振動特性データとは、好ましくは、１つの回転速度について得られたものである。
【０１５５】
この場合、次の（１）〜（３）のいずれかにより、ステップＳ４が行われてよい。
【０１５６】
（１）損傷判定部１５は、判定用の振動特性データにおいて、振幅が第８設定値以上のピークとなっている（例えば、少なくともいずれかの）周波数と、基準の振動特性データにおいて、振幅がこの第８設定値以上のピークとなっているいずれかの周波数（基準周波数という）との差が第８設定量以下であるかどうかを判断する。
ここで、第８設定値は、第６設定値の場合と同様に、対象とする機種の回転機械の回転体について実験的に予め設定されてよい。
また、第８設定量は、一例では、第６設定量の場合と同様に、比較対象となる上述の基準周波数×０．００３である。
【０１５７】
（２）損傷判定部１５は、判定用の振動特性データにおいて、第９設定値以上となっている（例えば、少なくともいずれかの）振幅のピーク値（判定用ピーク値という）と、基準の振動特性データにおいて、この第９設定値以上となっているいずれかの振幅のピーク値（基準）との差が第９設定量以下であるかどうかを判断する。判定用ピーク値は、例えば、最大の周波数成分（最大振幅）である。
ここで、第９設定値と第９設定量は、第６設定値の場合と同様に、対象とする機種の回転機械の回転体について実験的に予め設定されてよい。
【０１５８】
（３）損傷判定部１５は、判定用の振動特性データにおいて、振幅が第１０設定値以上のピーク（例えば、最大）となっている（例えば、少なくともいずれかの）周波数での振動の位相と、基準の振動特性データにおいて、振幅がこの第１０設定値以上のピークとなっているいずれかの周波数での振動の位相との差が第１０設定量以下であるかどうかを判断する。
ここで、第１０設定値と第１０設定量は、第６設定値の場合と同様に、対象とする機種の回転機械の回転体について実験的に予め設定されてよい。
【０１５９】
上記（１）（２）または（３）の判断結果が肯定の場合には、損傷判定部１５は、判定用の振動特性データと基準の振動特性データとの相違度が第２基準以下であると判断して、翼が特定箇所で損傷していると判断する。一方、この判断が否定である場合には、損傷判定部１５は、翼が特定箇所で損傷していないと判定する。
【０１６０】
なお、上述の第６〜第１０設定値と第６〜第１０設定量は、上述でその数値や数値範囲の例が示されている場合であっても、その数値や数値範囲に限定されない。すなわち、第６〜第１０設定値と第６〜第１０設定量は、回転機械の機種や、回転機械の使用条件や、検出したい上述の特定箇所での損傷の大きさなどに応じて適切に設定されていればよい。この場合でも、好ましくは、対象とする機種の回転機械の回転体について、１つまたは複数の翼が特定箇所で損傷している回転体の振動特性データ、および、いずれの翼も損傷していない回転体の振動特性データを実験により求め、両振動特性データを比較して、上述の第６〜第１０設定値と第６〜第１０設定量を設定する。
【０１６１】
［第４実施形態］
次に、本発明の第４実施形態による翼損傷判定用装置と翼損傷判定方法について説明する。第４実施形態において、以下で説明しない点は、上述の第２実施形態と同じである。
【０１６２】
第４実施形態では、基準の翼は、特定箇所が損傷している翼である。好ましくは、翼に損傷が生じやすい特定箇所がある場合、基準の翼は、この特定箇所が損傷している翼である。
【０１６３】
第４実施形態では、上述のステップＳ１は、上述のステップＳ３の対象となる回転機械と同じ機種の回転機械の翼（基準の翼）に対して行われる。ただし、この基準の翼における上述の特定箇所は損傷している。
【０１６４】
したがって、第４実施形態では、データ提示部１７により提示された基準の振動特性データと判定用の振動特性データを人が見て、人が、判定用の振動特性データと基準の振動特性データと差に基づいて、翼が特定箇所で損傷しているかどうかを判断する。この判断は、第３実施形態で損傷判定部１５が行った判断と同じ方法で行われてよい。
【０１６５】
基準の振動特性データと判定用の振動特性データとその提示方法の具体例は、第２実施形態の場合と同じである。
【０１６６】
［第５実施形態］
次に、本発明の第５実施形態による翼損傷判定用装置と翼損傷判定方法について説明する。第５実施形態は、第１実施形態と第３実施形態を組み合わせたものである。第５実施形態において、以下で説明しない点は、上述の第１実施形態と第３実施形態と同じである。
【０１６７】
第５実施形態では、損傷していない正常な基準の翼に対してステップＳ１を行うことにより、正常な基準の翼についての基準の振動特性データを生成する。これとは別に、特定箇所で損傷している基準の翼に対してステップＳ１を行うことにより、特定箇所で損傷している基準の翼についての基準の振動特性データも生成する。
【０１６８】
この場合、上述のステップＳ４では、次の判定１、２の両方を行う。
【０１６９】
（判定１）
損傷判定部１５は、正常な基準の翼についての基準の振動特性データと、ステップＳ３で生成した判定用の振動特性データとの差に基づいて、翼の損傷の有無を判定する。
【０１７０】
（判定２）
損傷判定部１５は、特定箇所で損傷している基準の翼についての基準の振動特性データと、ステップＳ３で生成した判定用の振動特性データとの差に基づいて、翼の損傷の有無を判定する。
【０１７１】
損傷判定部１５が、上記の判定１において、判定対象の回転体１における全ての翼について、損傷が生じていないと判定し、かつ、上記の判定２において、判定対象の回転体１における全ての翼について、特定箇所に損傷が生じていないと判定した場合には、ステップＳ２へ戻る。
【０１７２】
一方、上記の判定２の結果にかかわらず、損傷判定部１５が、上記の判定１において、少なくともいずれかの翼について、損傷が生じていると判定した場合には、第１実施形態に従った上述のステップＳ５を行う。
この場合、損傷判定部１５が、上記の判定２において、少なくともいずれかの翼について、特定箇所に損傷が生じていると判定した場合には、第３実施形態に従った上述のステップＳ５も行う。
【０１７３】
［第６実施形態］
次に、本発明の第６実施形態による翼損傷判定用装置と翼損傷判定方法について説明する。第６実施形態は、第２実施形態と第４実施形態を組み合わせたものである。第６実施形態において、以下で説明しない点は、上述の第２実施形態と第４実施形態と同じである。
【０１７４】
第６実施形態では、損傷していない正常な基準の翼に対してステップＳ１を行うことにより、正常な基準の翼についての基準の振動特性データを生成する。これとは別に、特定箇所で損傷している基準の翼に対してステップＳ１を行うことにより、特定箇所で損傷している基準の翼についての基準の振動特性データも生成する。
【０１７５】
この場合、上述のステップＳ６では、次のデータ提示１、２の両方を行う。
【０１７６】
（データ提示１）
データ提示部１７は、正常な基準の翼についての基準の振動特性データと、ステップＳ３で生成した判定用の振動特性データとを、互いに比較可能な形態で提示する。
【０１７７】
（データ提示２）
損傷判定部１５は、特定箇所で損傷している基準の翼についての基準の振動特性データと、ステップＳ３で生成した判定用の振動特性データとを、互いに比較可能な形態で提示する。
【０１７８】
第６実施形態では、データ提示１に基づいて、第２実施形態に従ったステップＳ７を行うとともに、データ提示２に基づいて、第４実施形態に従ったステップＳ７を行う。
【０１７９】
第２実施形態に従ったステップＳ７の判定において、判定対象の回転体１における全ての翼について、損傷が生じていないと判定され、かつ、第４実施形態に従ったステップＳ７の判定において、判定対象の回転体１における全ての翼について、特定箇所に損傷が生じていないと判定した場合には、ステップＳ２へ戻る。
【０１８０】
上述した第１〜第６実施形態によると、以下の効果が得られる。
【０１８１】
判定対象の回転体１が回転している回転状態で、翼検出部５ａ〜５ｄが、対応する翼検出静止位置Ｐ１〜Ｐ４に来た翼３ａ〜３ｆを繰り返し検出し、時間計測部７が、経過時間を計測し、このような翼の検出と計測時間とに基づいて、判定用の振動特性データを生成する。その上で、損傷判定部１５が、判定用の振動特性データと基準の振動特性データとを比較して、翼の損傷の有無を判定する。または、データ提示部１７が、判定用の振動特性データと基準の振動特性データとを視覚的に比較可能な形態で提示するので、人が、両データを見て、両データを比較して、翼の損傷の有無を判定できる。
このように、第１〜第６実施形態では、回転する翼の通過を非接触で検出し、この検出に基づいて翼の損傷判定に用いる判定用の振動特性データを生成するので、翼にセンサ（例えば歪みゲージ）を取り付けることなく、回転体１を回転させたまま翼の損傷有無を判定することが可能となる。
【０１８２】
また、翼にセンサを取り付けることが不要になるので、回転体１の回転中に、翼に取り付けたセンサが遠心力で翼から飛散してしまうことが無い。
【０１８３】
さらに、従来では、センサを取り付けた翼についてしか、損傷の有無を検出できなかった。これに対し、第１〜第６実施形態では、翼にセンサを取り付けることなく、翼の損傷有無を判定できる。すなわち、どの翼にもセンサを取り付けることなく、全ての翼３ａ〜３ｆについて損傷の有無を判定できる。しかも、回転体１を回転させて翼検出部５ａ〜５ｄによる翼検出と時間計測部７による時間計測とを行い、得られたこれらのデータに基づいて判定用の振動特性データを生成するという処理を一回行うだけで、全ての翼３ａ〜３ｆについて損傷の有無を判定できる。
【０１８４】
本発明は上述した実施の形態に限定されず、本発明の要旨を逸脱しない範囲で種々変更を加え得ることは勿論である。
【符号の説明】
【０１８５】
１  回転体、
３ａ，３ｂ，３ｃ，３ｄ，３ｅ，３ｆ  翼、５ａ，５ｂ，５ｃ，５ｄ  翼検出部、７  時間計測部、９  翼検出時点データ生成部、１０  翼損傷判定用装置、１１  特性データ生成部、１３  記憶部、１５  損傷判定部、１７  データ提示部、１８  位置基準検出部、１９  速度検出部、２１  位置基準
【図１】
0006465383.tif 000002
【図２】
0006465383.tif 000003
【図３】
0006465383.tif 000004
【図４】
0006465383.tif 000005
【図５】
0006465383.tif 000006
【図６】
0006465383.tif 000007
【図７】
0006465383.tif 000008
【図８】
0006465383.tif 000009
【図９】
0006465383.tif 000010
【図１０】
0006465383.tif 000011